(57)【要約】【課題】  任意に選択した領域内の空気を浄化することができる空気清浄機能付扇風機を提供する。【解決手段】  回転軸５１の軸線Ｓに対し傾きを有する羽根６２を回転方向に複数枚有する羽根体６を備え、羽根６２の後側に空気清浄体７が設けられ、空気清浄体７は羽根体６が回転することで羽根６２に吸引され当接し羽根体６と共に回転することを特徴とする。【選択図】図１
2007046567.tif 000002
【特許請求の範囲】
【請求項１】
回転軸の軸線に対し傾きを有する羽根を回転方向に複数枚有する羽根体を備え、羽根の後側に空気清浄体が設けられ、空気清浄体は羽根体が回転することで羽根に吸引され当接し羽根体と共に回転することを特徴とする空気清浄機能付扇風機。
【請求項２】
空気清浄体の前後方向の中心軸の軸線が羽根体の回転軸の軸線と一致することを特徴とする請求項１に記載の空気清浄機能付扇風機。
【請求項３】
空気清浄体は円盤形状であることを特徴とする請求項２に記載の空気清浄機能付扇風機。
【請求項４】
空気清浄体の半径が羽根体の半径に等しいことを特徴とする請求項３に記載の空気清浄機能付扇風機。
【請求項５】
空気清浄体の半径が羽根体の半径より小さいことを特徴とする請求項３に記載の空気清浄機能付扇風機。
【請求項６】
空気清浄体は羽根体に着脱自在に設けられていることを特徴とする請求項１乃至請求項５の何れかに記載の空気清浄機能付扇風機。
【発明の詳細な説明】
【技術分野】
【０００１】
本発明は、浄化した空気を循環させることができる空気清浄機能付扇風機に関する。
【背景技術】
【０００２】
従来、空気清浄機能付扇風機としては、例えば回転軸の軸線に対し傾きを有する羽根を回転方向に複数枚有する羽根体の後方に設置されるカバー体の外周上に、消臭機能等を有する空気清浄体が設けられたものが公知である（下記特許文献１参照）。一般に、回転軸の軸線に対し傾きを有する羽根を回転方向に複数枚有する羽根体が、その軸線周りに回転すると、羽根体の後方から前方へ向けて空気の流れが生じる。従来の空気清浄機能付扇風機にあっては、このような羽根体の後方からの空気の流れの途中に空気清浄体を設けて空気を浄化し、その浄化した空気を羽根体の前方に放出（送風）するものである。
【特許文献１】特開２００３−８３２８５号公報
【発明の開示】
【発明が解決しようとする課題】
【０００３】
しかしながら、上記従来の空気清浄機能付扇風機にあっては、羽根体の前方に放出された浄化した空気は、そのまま外部の空気中に飛散してしまい任意の領域を選択的に浄化することが困難であった。
【０００４】
そこで、本発明は、上記従来の問題に鑑みてなされ、任意に選択した領域内の空気を浄化することができる空気清浄機能付扇風機を提供することを課題とする。
【課題を解決するための手段】
【０００５】
本発明は、上記課題を解決すべくなされたものであり、本発明に係る空気清浄機能付扇風機は、回転軸の軸線に対し傾きを有する羽根を回転方向に複数枚有する羽根体を備え、羽根の後側に空気清浄体が設けられ、空気清浄体は羽根体が回転することで羽根に吸引され当接し羽根体と共に回転することを特徴とする。
【０００６】
該構成の空気清浄機能付扇風機にあっては、空気清浄体は、羽根体が回転することで羽根に吸引され当接し羽根体と共に回転する。よって、空気清浄体の後方から羽根体へ向けて流れる空気の流れが空気清浄体によって阻害されることとなり、羽根の後方へ流れ込む空気の量が減少する。そうすると、各羽根の間にある空気は、羽根体の回転による遠心力の作用により回転の径方向外側へ移動して羽根の外周縁から外部へ放出される。その結果、羽根の前方の空気の圧力が下がるので、羽根体の前方から羽根体へ向けて後方に流れる空気の流れが生じる。そして、羽根体の前方から流れ込んだ空気は、羽根体の回転による遠心力の作用により回転の径方向外側へ移動して羽根の外周縁から外部へ放出される。
【０００７】
また、空気清浄体の後方から羽根の後方へ流れ込む空気は、その大半が空気清浄体をその厚み方向に通過して浄化され、残りは空気清浄体の径方向外側へ向けて通過する。空気清浄体をその厚み方向に通過して浄化された空気は、羽根体の前方から流れ込む空気と共に、羽根体の回転による遠心力の作用により、回転の径方向外側へ移動して羽根の外周縁から一体的に外部へ放出される。空気清浄体をその厚み方向に通過しなかった残りの空気は、空気清浄体の回転による遠心力の作用により、空気清浄体の内部を回転の径方向外側へ向けて移動して浄化され、空気清浄体の外周縁から外部へ放出される。
【０００８】
そして、羽根の外周縁から一体的に外部へ放出される空気と、空気清浄体の外周縁から外部へ放出される空気とは、羽根体の前方から後方へ向かう空気の流れに乗って一体的に羽根体の前方へ回り込む。そして、羽根体の前方へ回り込んだ空気は、羽根体の回転による遠心力の作用により、回転の径方向外側へ移動して再び羽根の外周縁から外部へ放出され、羽根体の前方から後方へ向かう空気の流れに乗って羽根体の前方へ回り込む。こうして、羽根体と空気清浄体とが回転している間は、浄化された空気は外部へ飛散することなく羽根体の前方で循環することとなる。
【０００９】
特に、空気清浄体の前後方向の中心軸の軸線が羽根体の回転軸の軸線と一致することで、空気清浄体の後方から羽根体に向けて流れてくる空気が確実に空気清浄体によって浄化されるという利点がある。
【００１０】
また、空気清浄体を円盤形状にすると、空気清浄体が回転することによって発生する遠心力が空気清浄体全体で均一に作用するので、空気清浄体の内部で浄化された空気が空気清浄体の外周縁から均一に放出される。よって、浄化された空気の羽根体の前方での循環が安定しやすくなるという利点がある。
【００１１】
更に、空気清浄体の半径を羽根体の半径に等しくすると、浄化された空気の循環が羽根体全体の範囲で生じる。よって、広範囲な循環領域を得ることができる。
【００１２】
また更に、空気清浄体の半径を羽根体の半径より小さくすると、羽根体のうち空気清浄体が設けられている範囲内では、羽根体の前側で浄化された空気の循環が生じる一方で、空気清浄体が設けられていない範囲では、空気は羽根体の前方に放出（送風）される。
【００１３】
更に、空気清浄体は羽根体に着脱自在に設けられていることが好ましい。空気清浄体の取り付け取り外しが容易に行え、空気清浄体の交換が容易にできるという利点がある。
【発明の効果】
【００１４】
このように、本発明に係る空気清浄機能付扇風機にあっては、空気清浄体によって浄化された空気が羽根体の前方で循環するので、従来のように浄化した空気が外部の空気中に飛散することなく、任意に選択した領域内の空気を浄化することができるという効果を奏する。
【発明を実施するための最良の形態】
【００１５】
以下、本発明に係る空気清浄機能付扇風機の一実施形態について図面を参酌しつつ説明する。
図１及び図２に、本実施形態における空気清浄機能付扇風機１が示されている。該空気清浄機能付扇風機１は、台部２と、台部２の上方に設けられる首部４と、台部２と首部４とを首部４が上下左右に向きを変えることができるように接続する接続部３とを備える。
【００１６】
台部２は、ベース２１とベース２１の上面から上方へ伸びる支柱部２２で構成されている。ベース２１は、上面視略円形状であり、上面の前側部分にはスイッチ２１ａが設けられている。スイッチ２１ａの後方にはベース２１の上面から上方へ伸びる支柱部２２が設けられている。支柱部２２は、筒状の第一支柱２２ａと第一支柱２２ａの中空部分に嵌め合う形状である第二支柱２２ｂとで構成されている。第一支柱２２ａは、ベース２１の上面でスイッチ２１ａの後方に軸心を上下方向にして設けられており、その中空部分に上下に移動可能となるように第二支柱２２ｂが嵌め込まれている。第二支柱２２ｂの上端側には、接続部３が取り付けられており、接続部３が上下方向に回動して首部４が上下方向に向きが変わるようになっている。
【００１７】
接続部３の上方には左右方向に回動して向きが変わるように首部４が設けられている。首部４は、図２に示すように、接続部３の上面に接続され、前方向に伸び且つ先端にネジ部５１ａを有する回転軸５１を備える駆動体５と、回転軸５１に嵌め込まれて回転軸５１の軸線Ｓ周りに回転する羽根体６と、羽根体６の後方に嵌め込まれ羽根体６と共に回転する空気清浄体７と、羽根体６の前側から回転軸５１の先端のネジ部５１ａに螺合され羽根体６を固定するキャップ８と、羽根体６と空気清浄体７とキャップ８とを囲むように駆動体５に取り付けられる前後一対の前後両カバー体９，１０とで構成されている。駆動体５にはモーターが内蔵されており、このモーターからの駆動力によって回転軸５１がその軸線Ｓ周りに回転し、それに伴って羽根体６及び空気清浄体７が回転軸５１の軸線Ｓ周りに回転するようになっている。
【００１８】
羽根体６は、円筒状のハブ６１の側面に複数枚の羽根６２が設けられて構成され、図３（Ａ）に示すように、ハブ６１の貫通孔６１ａに回転軸５１を挿入して回転軸５１に回転自在に嵌め込まれる。そして、羽根体６は回転軸５１のネジ部５１ａにキャップ８を螺合して固定される。こうして、ハブ６１の軸心は回転軸５１の軸線Ｓに一致しており、回転軸５１が軸線Ｓ周りに回転することによって羽根体６も軸線Ｓ周りに回転する。羽根６２は、図１に示すように、先端側（回転の径方向外側）ほど幅広となる前面視扇形状であるが、回転方向の前側の部分ＲＦが内側に凹んだ形状であり、回転方向の後側の部分ＲＢが外側に膨らんだ形状となっている。羽根６２は、ハブ６１の軸心方向の後方へ向けて凸となるように湾曲した形状であり、しかも先端側ほど軸心に対し大きな角度となるように捩れた形状となっている。羽根６２は、図２に示すように、回転軸５１の軸線Ｓに対し傾きを有し回転方向に複数枚設けられている。即ち、羽根６２は、図１に示すように、ハブ６１の周方向に均等な間隔となるように配置され、ハブ６１の軸心に対し傾きを有するように設けられている。具体的には、ハブ６１の軸心に対して、羽根６２の回転方向前側部ＲＦが回転方向後側部ＲＢよりも後方となるように傾けた状態で、羽根６２の基端部がハブ６１の側面に連結されている。尚、本実施形態では、羽根６２は５枚設けられているが、例えば３枚であってもよい。
【００１９】
羽根体６に嵌め込まれる空気清浄体７は、円盤形状であり、その半径は羽根体６の半径に等しい。つまり、空気清浄体７は、図１に示すように、前面視円形状であり、その半径はハブ６１の軸心から羽根６２の先端までの距離に等しい。空気清浄体７の中心部には、ハブ６１の直径に等しい直径の孔７１が設けられている。空気清浄体７は、図３（Ａ）に示すように、その中心部の孔７１に羽根６２よりも後方側に伸びているハブ６１の後端部６１ｂが挿入されて羽根体６に嵌め込まれ、羽根６２の後側に位置して羽根体６に着脱自在に取り付けられる。こうして空気清浄体７は、羽根６２の後方で羽根６２の基端から先端に亘るように配備される。即ち、羽根体６と空気清浄体７とは同一の軸線Ｓ周りに回転し、その回転半径も等しくなっている。本実施形態では、空気清浄体７は、羽根６２の回転方向前側部ＲＦに接した状態で設置されているが、羽根体６が回転することで空気清浄体７を吸引することができる範囲内であれば羽根６２と離間して設けてもよい。
【００２０】
空気清浄体７は、除菌フィルター７２と脱臭フィルター７３と集塵フィルター７４とを前後方向に順に並べて、それぞれを点接着した３層構造体である。各フィルター７２，７３，７４は、中心部にハブ６１の直径に等しい直径の孔を有する円形状であるが、除菌フィルター７２と集塵フィルター７４とはその厚さが例えば１ｍｍ程度であり、脱臭フィルター７３の厚さは例えば３ｍｍ乃至７ｍｍ程度である。本実施形態では、集塵フィルター７４は、例えばポリプロピレン繊維やポリエステル繊維等からなる不織布で構成されており、除菌フィルター７２も不織布で構成されているが、薬品を染込ませていたり銀を付着させたりなどして抗菌性が付加されている。脱臭フィルター７３はウレタンゴムを発泡させたものや不織布等で構成されており、活性炭が混ぜられている。因みに、活性炭を混ぜる量としては、例えば、風速１ｍ/ｓで風圧１９Ｐａ乃至６０Ｐａである場合に１３０ｇ/ｍ2乃至２５０ｇ/ｍ2である。
【００２１】
以上の構成からなる空気清浄機能付扇風機１にあっては、図３（Ａ）に示すように、駆動体５のモーターからの駆動力によって回転軸５１がその軸線Ｓ周りに回転すると、回転軸５１に嵌め込まれている羽根体６が空気清浄体７と共に回転軸５１の軸線Ｓ周りに回転する。羽根体６が回転すると、空気清浄体７が羽根６２に吸引され当接する。つまり、図３（Ｂ）に示すように、空気清浄体７は、羽根６２の回転方向前側部ＲＦの後面に吸着した状態となって羽根体６と共に回転するようになる。そうすると、羽根体６の回転により生ずる空気清浄体７の後方から羽根体６へ向けて流れる空気の流れ（矢印１３）が、空気清浄体７によって阻害されることとなり、羽根６２の後方へ流れ込む空気の量が減少する。これにより、各羽根６２の間にある空気は、羽根体６の回転による遠心力の作用により回転の径方向外側へ移動して羽根６２の外周縁から外部へ放出される（矢印１６）。その結果、羽根６２の前方の空気の圧力が下がるので、羽根体６の前方から空気が流れ込んで、羽根体６の前方から羽根体６へ向けて後方に流れる空気の流れが生じる（矢印１４）。そして、羽根体６の前方から流れ込んだ空気は、羽根体６の回転による遠心力の作用により回転の径方向外側へ移動して（矢印１５）羽根６２の外周縁から外部へ放出される（矢印１６）。
【００２２】
また、空気清浄体７の後方から羽根６２の後方へ流れ込む空気（矢印１３）は、その大半が空気清浄体７をその厚み方向に通過して、それぞれのフィルターにより集塵、脱臭、除菌されて浄化され（矢印１１ａ）、残りは空気清浄体７の径方向外側に向けて通過する（矢印１１ｂ）。空気清浄体７をその厚み方向に通過して浄化された空気（矢印１１ａ）は、羽根体６の前方から流れ込む空気（矢印１５）と共に、羽根体６の回転による遠心力の作用により、回転の径方向外側へ移動して羽根６２の外周縁から一体的に外部へ放出される（矢印１６）。空気清浄体７をその厚み方向に通過しなかった残りの空気（矢印１１ｂ）は、空気清浄体７の回転による遠心力の作用により、空気清浄体７の内部を回転の径方向外側へ向けて移動してそれぞれのフィルターにより集塵、脱臭されて浄化され、空気清浄体７の外周縁から外部へ放出される（矢印１２）。
【００２３】
そして、羽根６２の外周縁から一体的に外部へ放出される空気（矢印１６）と、空気清浄体７の外周縁から外部へ放出される空気（矢印１２）とは、図４に示すように、羽根体６２の前方から後方へ向かう空気の流れ（矢印１４）に乗って一体的に羽根体６の前方へ回り込む（矢印１７）。そして、羽根体６の前方へ回り込んだ空気は、羽根体６の回転による遠心力の作用により、回転の径方向外側へ移動し（矢印１５）、再び羽根６２の外周縁から外部へ放出され（矢印１６）、羽根体６の前方から後方へ向かう空気の流れに乗って羽根体６の前方へ回り込む（矢印１７）。こうして、羽根体６と空気清浄体７とが回転している間は、浄化された空気は外部へ飛散することなく羽根体７の前方で循環することとなる。従って、任意に選択した領域内の空気を浄化することができる。
【００２４】
更に、空気清浄体７は、その半径がハブ６１の軸心から羽根６２の先端までの距離に等しい円盤形状であり、羽根６２の後方で羽根６２の基端から先端に亘るように設けられている。よって、空気清浄体７の後方から羽根体６へ向けて流れてくる空気（矢印１３）を全域に亘って受けることができ、その空気を確実に浄化することができ（矢印１１ａ、１１ｂ）、且つ、空気清浄体７が回転することによって発生する遠心力が空気清浄体７全体で均一に作用するので、空気清浄体７の内部で浄化された空気（矢印１１ｂ）が空気清浄体７の外周縁から均一に放出される（矢印１２）。よって、広範囲な循環領域を得ることができると共に、浄化された空気の羽根体６の前方での循環が安定しやすくなる。
【００２５】
また更に、空気清浄体７は羽根体６のハブ６１の後端部６１ｂに着脱自在に設けられている。よって、空気清浄体７の取り付けや取り外しが容易に行え、空気清浄体７の交換が容易にできる。
【００２６】
尚、本実施形態では、空気清浄体７の半径がハブ６１の軸心から羽根６２の先端までの距離に等しい場合について説明したが、これに限られず、空気清浄体７の半径が羽根体６の半径より小さい場合であってもよい。例えば、図５に示すように、空気清浄体７の半径がハブ６１の軸心から羽根６２の先端までの距離の半分程度である場合であってもよい。この場合、図５及び図６に示すように、空気清浄体７が設けられている範囲内では、羽根体６の前側で浄化された空気の循環が生じる。その一方で、空気清浄体７が設けられていない範囲では、羽根体６の後方から羽根体６に向けて空気が流れ込み（矢印１３ａ）、流れ込んだ空気は羽根６２によって羽根体６の前方へ放出（送風）される（矢印１８）。具体的には、羽根６２の外周縁から一体的に外部へ放出される浄化された空気（矢印１６）と、空気清浄体７の外周縁から外部へ放出される浄化された空気（矢印１２）とは、空気清浄体７が設けられていない範囲で羽根６２によって羽根体６の前方へ放出（送風）される空気の流れ（矢印１８）に乗って、一体的に羽根体７の前方へ流れる。そして、羽根体６の前方から羽根体６へ向かう空気の流れ（矢印１４）に乗って、羽根体６の前方へ回り込む（矢印１７）。そして、羽根体６の回転による遠心力の作用により回転の径方向外側へ移動して（矢印１５）、再び、空気清浄体７が設けられていない範囲で羽根６２によって羽根体６の前方へ放出（送風）される空気の流れ（矢印１８）に乗って、一体的に羽根体７の前方へ流れる。何れにしても、羽根体６と空気清浄体７とが共に回転することにより、空気清浄体７が羽根６２の回転方向前側部ＲＦの後面に吸着するので、空気清浄体７が設けられている範囲内で浄化された空気の循環が生じる。
【００２７】
更に、本実施形態では、空気清浄体７は前面視円形状である場合について説明したが、これに限られず、例えば、矩形状や多角形状である場合であってもよい。ただし、円形状とすることにより、騒音や乱流が発生せず、空気清浄体７が回転することによって生じる遠心力が空気清浄体７の内部に含まれる空気にむらなく作用するので好ましい。
【００２８】
また更に、本実施形態では、空気清浄体７が除菌フィルター７２と脱臭フィルター７３と集塵フィルター７４とで構成される場合について説明したが、これに限られず、集塵フィルター７４と脱臭フィルター７３とで構成される二層構造であってもよい。また、脱臭フィルター７３のみで構成している場合であってもよい。
【００２９】
更に、本実施形態では、空気清浄体７が着脱自在に嵌め込まれ、回転方向前側部ＲＦに接するように設けられている場合について説明したが、これに限られず、例えば、回転方向前側部ＲＦには接しないように、ハブ６１の後端部６１ｂに着脱自在に嵌め込まれている場合や、ハブ６１の後端部６１ｂに接着、ネジ止め等して固定した場合であってもよい。何れにしても、羽根体６が回転することで、羽根６２の回転方向前側部ＲＦの後面に吸着するように空気清浄体７が設けられていればよい。
【図面の簡単な説明】
【００３０】
【図１】本発明の一実施形態に係る空気清浄機能付扇風機を示す正面図。
【図２】同空気清浄機能付扇風機の側面図。
【図３】同空気清浄機能付扇風機の要部拡大断面図であり、（Ａ）は回転状態を示し、（Ｂ）は（Ａ）のＰ−Ｐ線断面拡大図。
【図４】同空気清浄機能付扇風機の回転状態を示し、浄化した空気が循環する様子を示す概略側面図。
【図５】他の実施形態における空気清浄機能付扇風機の要部拡大断面図。
【図６】他の実施形態における空気清浄機能付扇風機の回転状態を示し、浄化した空気が循環する様子を示す概略側面図。
【符号の説明】
【００３１】
１…空気清浄機能付扇風機、２…台部、３…接続部、４…首部、５…駆動体、６…羽根体、７…空気清浄体、８…キャップ、９…前側のカバー体、１０…後側のカバー体、２１…ベース、２１ａ…スイッチ、２２…支柱部、２２ａ…第一支柱、２２ｂ…第二支柱、５１…回転軸、５１ａ…ネジ部、６１…ハブ、６１ａ…貫通孔、６２…羽根、７２…集塵フィルター、７３…脱臭フィルター、７４…除菌フィルター、Ｓ…軸線、ＲＢ…羽根の回転方向後側部、ＲＦ…羽根の回転方向前側部
【図１】
2007046567.tif 000003
【図２】
2007046567.tif 000004
【図３】
2007046567.tif 000005
【図４】
2007046567.tif 000006
【図５】
2007046567.tif 000007
【図６】
2007046567.tif 000008